(57)【要約】【課題】デジタル放送においてパーシャルトランスポートストリームを安価に内部蓄積できるデジタル放送アダプターを提供すること。【解決手段】デジタル放送アダプターの構成にパーシャルトランスポートストリームと電子番組情報のデータの展開・蓄積を行うＲＡＭ２２のデータとを内部蓄積する蓄積手段５１と、パーシャルトランスポートストリームの経路を選択するストリーム経路選択手段５２，５３とを設けることにより、ＰＩＤフィルタリングされたパーシャルトランスポートストリーム情報および展開した番組情報とを出力かつ内部蓄積可能とする。【選択図】  図１
2004320504.tif 000002
【特許請求の範囲】
【請求項１】
デジタル放送信号を受信するデジタル放送アダプターにおいて、
デジタル放送を受信するデジタルチューナーと、前記デジタルチューナー出力を入力としてトランスポートストリームを出力する復調手段と、復調手段の出力するトランスポートストリームから電子番組情報のデータのデコードおよびＰＩＤフィルタリングされたパーシャルトランスポートストリームを出力可能なトランスポートデコード手段と、前記電子番組情報のデータを展開・蓄積を行うＲＡＭメモリと、前記トランスポートデコード手段の出力するパーシャルトランスポートストリームと前記電子番組情報のデータの展開・蓄積を行うＲＡＭ上のデータとを合成し出力するＩＥＥＥ１３９４回路と、前記パーシャルトランスポートストリームと前記電子番組情報のデータの展開・蓄積を行うＲＡＭ上のデータとを蓄積する蓄積手段と、トランスポートデコード手段の出力と蓄積手段の入力とＩＥＥＥ１３９４回路の入力とを結ぶストリーム経路選択手段と、前記復調手段、前記トランスポートデコード手段、前記ＩＥＥＥ１３９４回路、前記蓄積手段、前記ストリーム経路選択手段の制御を行う制御手段とを備え、ＰＩＤフィルタリングされたパーシャルトランスポートストリーム情報および展開した番組情報とを出力かつ内部蓄積可能なことを特徴とするデジタル放送アダプター。
【発明の詳細な説明】
【０００１】
【発明の属する技術分野】
本発明はデジタル放送においてパーシャルトランスポートストリームを安価に内部蓄積できるデジタル放送アダプターに関する。
【０００２】
【従来の技術】
デジタル放送アダプターは、異なるネットワークのサービスを享受できるようにする装置である。例えばＢＳデジタル放送受信機に地上デジタルアダプターを接続すれば、地上デジタル放送の視聴が可能となる。
【０００３】
従来例として特開２００２−３４４８３４でのデジタル放送アダプターのブロック図を図３に示す。以下、従来のデジタル放送アダプターについて図３を参照しながら説明する。
【０００４】
１１はアンテナ信号入力端子、１２は前記アンテナ信号入力端子１１で受信された放送信号の選局を行うデジタルチューナー、１３は前記デジタルチューナーで選局された信号の放送方式に合わせて復調する復調手段である。１４は放送データであるトランスポートストリーム情報に従い、パケットＩＤ選択、同期再生、番組情報選択可能なトランスポートデコード手段、２２は電子番組情報のデータやＯＳＤ映像情報の展開・蓄積を行うＲＡＭメモリ、２３はデジタルアダプターの制御および機能実行を行うためのプログラムを格納可能なＦｌａｓｈ  ＲＯＭ、３１はトランスポートデコード手段１４から出力されたパーシャルトランスポートストリームとＲＡＭメモリに展開された電子番組情報が入力され、信号合成を行いＩＥＥＥ１３９４のバスに出力するＩＥＥＥ１３９４回路、３２はトランスポートデコード手段１４、ＲＡＭメモリ２２、合成制御手段３１、の制御を行うＣＰＵ、３３はＩＥＥＥ１３９４出力端子である。
【０００５】
以上のように構成された図３のデジタルアダプターについて、以下その動作を説明する。
【０００６】
アンテナ信号入力端子１１で受信された放送信号は、デジタルチューナー１２に入力される。デジタルチューナー１２では選局が行われる。デジタルチューナー１２から出力された信号は復調手段１３に入力される。復調手段１３では、送られてくる放送信号に対応した復調方法で復調し、誤り訂正処理を行いトランスポートデコード手段１４に出力される。
【０００７】
トランスポートデコード手段１４では、パケットＩＤ（ＰＩＤ）処理を行う。これは、トランスポートデコード手段１４に設定されたＰＩＤ候補と入力されたトランスポートストリームパケットから取り出したＰＩＤに一致を検出することが可能であり、ＰＩＤ単位にデータフォーマット処理を行う。データフォーマット処理とは、トランスポートストリームパケットから指定のデータ形式のデータを抽出する処理である。
【０００８】
また、ＡＲＩＢ、ＤＶＢ準拠の放送では、ＳＩ（Ｓｅｒｖｉｃｅ  Ｉｎｆｏｒｍａｔｉｏｎ）セクションが数Ｍｂｐｓの帯域を使用して送られてくる。ここで予めセクションフィルタリング条件を登録でき、この内一つでも一致するセクションヘッダ（セクションデータバイト前での各フィールド）を持つセクションを抜き出すことができる。このＳＩ情報は常にＣＰＵで管理することができる。
【０００９】
ＲＡＭメモリ２２では、トランスポートデコード手段１４で取得されたＳＩ情報が展開、蓄積される。この情報はＩＥＥＥ１３９４回路３１へ出力される。Ｆｌａｓｈ  ＲＯＭ２３には、デジタル放送アダプタの制御および機能実行を行うためのプログラムが格納されており、ＣＰＵ３２はこのプログラムに基付き各手段の制御を行う。
【００１０】
ＩＥＥＥ１３９４回路３１には、トランスポートデコード手段１４から出力されたパーシャルトランスポートストリームとＲＡＭメモリ２２に展開されたＳＩ情報と電子番組情報が入力される。ＩＥＥＥ１３９４回路３１で信号合成を行いＩＥＥＥ１３９４のバスに出力される。
【００１１】
さらに図４に、図３の一例として地上デジタル放送アダプタとＢＳデジタル放送受信機とデジタルＶＴＲ（Ｄ−ＶＨＳ）との接続例を示す。
【００１２】
図４において、４１は地上デジタル用アンテナ、４２はＢＳデジタル放送受信機、４３はＢＳアンテナ、４４はデジタルＶＴＲ（Ｄ−ＶＨＳ）である。ここで地上デジタル放送をデジタルＶＴＲ４４に蓄積する場合の動作について説明する。地上デジタル用アンテナ４１で受信した地上デジタル放送信号は、選局されたパーシャルトランスポートストリームおよび電子番組情報が信号合成されＩＥＥＥ１３９４バスに出力される。ＢＳデジタル放送受信機４２は１３９４端子を２系統持ち、１系統は地上デジタルアダプターの出力を受信する。またもう一方はデジタルＶＴＲ４４に接続され、地上デジタルアダプターからの信号を蓄積する。
【００１３】
（例えば特許文献１参照）
【００１４】
【特許文献１】
特開２００２−３４４８３４号公報
【００１５】
【発明が解決しようとする課題】
しかしながら前記従来の構成では、地上デジタル放送の信号を蓄積するためには、高価なデジタルＶＴＲ（Ｄ−ＶＨＳ）が必要となる。またＡＶデコード回路をはじめとして機器構成が多く、煩雑になるという課題があった。
【００１６】
本発明は、前記従来の課題を解決するもので、デジタル放送においてパーシャルトランスポートストリームを安価に内部蓄積できるデジタル放送アダプターを提供することを目的とする。
【００１７】
【課題を解決するための手段】
前記従来の課題を解決するために、本発明のデジタル放送アダプターはパーシャルトランスポートストリームと電子番組情報のデータの展開・蓄積を行うＲＡＭ上のデータとを内部蓄積する蓄積手段と、パーシャルトランスポートストリームの経路を選択するストリーム経路選択手段とを有する。
【００１８】
【発明の実施の形態】
以下本発明の実施の形態について、図面を参照しながら説明する。
【００１９】
図１は、本発明の実施の形態におけるデジタル放送アダプターのブロック図を示している。図１において図３と同じものには、同じ符号を付してその説明を省略する。
【００２０】
このデジタル放送アダプターには、蓄積手段５１とオンオフスイッチ（ストリーム経路選択手段）５２と切り換えスイッチ５３（ストリーム経路選択手段）とが設けられている。蓄積手段５１、オンオフスイッチ５２、切り換えスイッチ５３はＣＰＵ３２により制御される。
【００２１】
トランスポートデコード手段１４から出力されたパーシャルトランスポートストリームは、オンオフスイッチ５２を経由して蓄積手段５１に入力される。また切り換えスイッチ５３を経由してＩＥＥＥ１３９４回路へ入力される。一方、ＲＡＭメモリ２２に展開されたＳＩ情報と電子番組情報はＣＰＵバスを経由してＩＥＥＥ１３９４回路３１と蓄積手段５１に入力される。ＩＥＥＥ１３９４回路３１に入力されたパーシャルトランスポートストリームとＳＩ情報と電子番組情報は、ＩＥＥＥ１３９４で規定されたパケットになり１３９４端子３３から出力される。また蓄積手段５１に入力されたパーシャルトランスポートストリームとＳＩ情報と電子番組情報は、蓄積手段５１に蓄積される。
【００２２】
蓄積手段５１に蓄積された信号を再生する場合には、オンオフスイッチ５２がオフ、切り替えスイッチ５３が蓄積手段５１側に制御され、蓄積手段５１の信号がＩＥＥＥ１３９４回路３１経由で１３９４端子３３から出力される。
【００２３】
図２は、本発明のデジタル放送アダプターとＢＳデジタル受信機との接続例を示す図である。デジタル放送アダプターは、地上デジタル放送アダプターの例として記載している。図２において図４と同じものには、同じ符号を付してその説明を省略する。
【００２４】
地上デジタル用アンテナ４１で受信した地上デジタル放送信号は、前述の通りの経路で蓄積手段５１に蓄積される。
【００２５】
蓄積された信号を再生する場合も前述と同様であり、１３９４端子３３から出力されＢＳデジタル受信機４２へ入力され、ＢＳデジタル受信機４２で再生することが可能となる。
【００２６】
【発明の効果】
以上のように、本発明のデジタル放送アダプターによれば安価な構成で地上デジタル放送等のパーシャルトランスポートストリームを内部蓄積することができる。
【００２７】
またストリームの状態で蓄積、出力するのでＡＶデコード回路が不要となり、蓄積する場合の機器構成を少なくできるという効果も有するものである。
【図面の簡単な説明】
【図１】本発明のデジタル放送アダプターを示すブロック図
【図２】本発明のデジタル放送アダプターとＢＳデジタル受信機との接続例を示す図
【図３】従来のデジタル放送アダプターを示すブロック図
【図４】従来のデジタル放送アダプターとＢＳデジタル受信機とＤ−ＶＨＳとの接続例を示す図
【符号の説明】
１２  デジタルチューナー
１３  復調手段
１４  トランスポートデコード手段
２２  ＲＡＭメモリ
３１  ＩＥＥＥ１３９４回路
３２  制御手段（ＣＰＵ）
５１  蓄積手段
５２  ストリーム経路選択手段（オンオフスイッチ）
５３  ストリーム経路選択手段（切り換えスイッチ）
【図１】
2004320504.tif 000003
【図２】
2004320504.tif 000004
【図３】
2004320504.tif 000005
【図４】
2004320504.tif 000006